(57)【要約】【課題】特定被写体を選択する際に、タッチされた部分を常に拡大表示すると、特定被写体がタッチするのに十分大きな場合等、拡大表示が必要でない場合でも拡大され、撮影中の画像全体を確認することが出来ないという課題がある。【解決手段】ビデオカメラ１００は、被写体像を撮像する撮像部１０と、撮像部１０が出力する画像信号に対して画像処理を行う画像処理部１１と、画像処理部１１の出力画像を表示する表示部１３と、表示部１３上で特定被写体の選択を受け付ける特定被写体選択部１３と、選択された特定被写体の信頼度を判定する判定部１５と、判定部１５による信頼度が所定の閾値より小さい場合に、特定被写体の周囲を拡大した拡大画面を表示するよう制御する表示制御部１４と、を備える。【選択図】図１
2010245999.tif 000002
【特許請求の範囲】
【請求項１】
被写体像を撮像する撮像部と、
前記撮像部が出力する画像信号に対して画像処理を行う画像処理部と、
前記画像処理部の出力画像を表示する表示部と、
前記表示部上で特定被写体の選択を受け付ける特定被写体選択部と、
前記選択された特定被写体の信頼度を判定する判定部と、
前記判定部による信頼度が所定の閾値より小さい場合に、前記特定被写体の周囲を拡大した拡大画面を表示するよう制御する表示制御部と、
を備える撮像装置。
【請求項２】
前記表示制御部は、
前記拡大画面を表示する際に、前記拡大画面表示時の前記画像処理部の出力画像の静止画を表示するよう制御する
請求項１に記載の撮像装置。
【発明の詳細な説明】
【技術分野】
【０００１】
本発明は撮像装置に関するものであり、特に、被写体認識を行い、認識している被写体を表示する撮像装置に関するものである。
【背景技術】
【０００２】
従来、デジタルカメラなどの、被写体に対してＡＦ、ＡＥ等を最適化して撮影する機能を有する撮像装置において、ＡＦ、ＡＥなどを最適化したい被写体に合わせるために、撮像装置自体が被写体を認識し、ＡＦ、ＡＥ等を被写体に合わし続けるものがある。このような撮像装置において、被写体を認識するためにユーザがタッチパネル等を用いて特定被写体を指定する必要があるが、デジタルカメラ等の表示部は小型であることが多いため、タッチされた部分を拡大表示して特定被写体を認識しやすくする技術がある。（特許文献１）
以下、図面を用いて従来の撮像装置のタッチされた部分を拡大表示する方法について説明する。図３は、従来の撮像装置の構成を示すブロック図である。撮像装置１００は動画像を撮像して表示及び記録するデジタルビデオカメラであり、ＣＰＵ１１０、ＲＯＭ１１１、ＲＡＭ１１２、操作部１１３、表示部１１４、撮像部１１５、画像処理部１１６、及び記録部１１７を備える。ユーザは操作部１１３に設けられたタッチパネル１１３０によりＡＦ、ＡＥなどをあわせたい特定被写体を選択し表示部１１４に其の拡大画像を表示して特定被写体の詳細を確認可能としたものである。
【先行技術文献】
【特許文献】
【０００３】
【特許文献１】特開２００５−３４８３６３号公報
【発明の概要】
【発明が解決しようとする課題】
【０００４】
しかしながら、特定被写体がタッチするのに十分大きな場合等、拡大表示が必要でない場合でも拡大してしまうため、ユーザは特定被写体にタッチして、拡大画面が表示されている間は撮影されている画像全体を確認することが出来ない。
【課題を解決するための手段】
【０００５】
本発明の撮像装置は、上記課題を解決するものであり、被写体像を撮像する撮像部と、前記撮像部が出力する画像信号に対して画像処理を行う画像処理部と、前記画像処理部の出力画像を表示する表示部と、前記表示部上で特定被写体の選択を受け付ける特定被写体選択部と、前記選択された特定被写体の信頼度を判定する判定部と、前記判定部による信頼度が所定の閾値より小さい場合に、前記特定被写体の周囲を拡大した拡大画面を表示するよう制御する表示制御部と、を備える。
【発明の効果】
【０００６】
本発明の撮像装置は、上記の構成によって、撮像している画像を表示している表示部上で、特定被写体をタッチして選択するとき、判定部でタッチされた特定被写体の信頼度が特定被写体を判別するのに十分であるかを判定し、十分でない時のみタッチされた箇所を中心に、その周辺の拡大画面を表示することにより、必要がない場合は拡大画像を表示しないようにすることで可能な限り、ユーザが画面全体を確認しながら撮影することを可能とし、また特定画像の選択に拡大画像が必要な場合はユーザの操作を必要とせず、拡大画像を表示することで、確実に特定被写体を選択することが出来る。
【図面の簡単な説明】
【０００７】
【図１】本発明の一実施の形態における撮像装置の構成を示すブロック図
【図２】本発明の一実施の形態における特定被写体の選択方法を示すフローチャート
【図３】従来の撮像装置の構成を示すブロック図
【発明を実施するための形態】
【０００８】
以下、本発明の一実施形態について、図面を用いて詳細に説明する。
【実施例１】
【０００９】
（１−１．構成）
図１は、本発明の実施の形態１に係る被写体認識機能を備えたビデオカメラ１００の構成を示すブロック図である。図１において、ビデオカメラ１００は、撮像部１０と、撮像部１０の信号を処理する信号処理部１１と、信号処理された画像より特定対象を検出する特定対象検出部１２と、信号処理された画像を記録する画像記録部１７と、検出された特定対象を表示するタッチパネル部１３と、それらを制御するコントローラ１４と、ユーザの操作を受け付ける操作部１６を備える。なお、特定対象検出部１２は特定対象の大きさや信頼度を判定する判定部１５を含む。
【００１０】
撮像部１０は、光学系と撮像素子とで構成される。光学系は、対物レンズ、ズームレンズ、絞り、ＯＩＳ（Ｏｐｔｉｃａｌ  Ｉｍａｇｅ  Ｓｔａｂｉｌｉｚｅｒ）ユニット、フォーカスレンズ等を含む。光学系は、被写体からの光を集光し、被写体像を形成する。
【００１１】
撮像素子は、光学系で形成された被写体像を撮像して、画像データを生成する。撮像素子は、ＣＭＯＳイメージセンサー、ＣＣＤイメージセンサー等である。
【００１２】
信号処理部１１は、ＡＤコンバータ、画像処理部、システムエンコーダ、システムデコーダを含む。ＡＤコンバータは、撮像素子で生成された画像データをデジタル信号に変換する。
【００１３】
画像処理部は、ＡＤコンバータで変換された画像データに対して各種の処理を施す。画像処理部は、システムエンコーダへ入力する画像データを生成したり、タッチパネル部１３に表示するための画像データを生成したりする。また、画像処理部は、システムデコーダが出力する画像データに対して画像処理を施し、タッチパネル部１３に表示するための画像データを生成したり、システムエンコーダへ再入力するための画像データを生成したりする。
【００１４】
画像処理部は、画像前処理部、画像圧縮部、画像伸張部を含む。画像前処理部は、ＡＤコンバータで変換された画像データに対して、ガンマ補正やホワイトバランス補正などの各種画像処理を行う。
【００１５】
画像圧縮部は、ＤＣＴ（離散コサイン変換）、ハフマン符号化などをおこなうことにより、画像データを圧縮する。画像圧縮部は、例えば、ＭＰＥＧ−２や、Ｈ．２６４の規格に準拠した圧縮形式により画像データを圧縮する。但し、本発明は、ＭＰＥＧ−２や、Ｈ．２６４の形式の画像データに限定されない。
【００１６】
画像伸張部は、システムデコーダから出力された圧縮済みの画像データをタッチパネル部１３で再生する場合などに、この画像データを非圧縮の状態に復号化する。
【００１７】
システムエンコーダは、画像処理部が出力する圧縮画像データ、及び本実施の形態１では図示しない音声処理部が出力する圧縮音声データから、画像記録部１７に記録するＡＶデータを生成する。
【００１８】
システムデコーダは、画像記録部１７に記録されたＡＶデータを復号化し、圧縮画像データを生成する。システムデコーダは、生成した圧縮画像データを画像伸張部へ出力する。
【００１９】
コントローラ１４は、ビデオカメラ１００全体を制御する制御手段である。コントローラ１４は、半導体素子などで実現可能である。コントローラ１４は、ハードウェアのみで構成してもよいし、ハードウェアとソフトウェアを組み合わせることにより実現してもよい。コントローラ１４は、マイクロコンピュータで実現できる。
【００２０】
特定対象検出部１２は、信号処理部１１で生成された画像データを解析し、画像データ中の特定対象を検出する。特定対象は、例えば人の顔等である。特定対象検出部１２は、特定対象を検出するとともに、その特定対象の確からしさを示す信頼度を算出する。本実施の形態では、特定対象検出部１２をコントローラ１４と別に設けているが、コントローラ１４で実現しても良い。
【００２１】
画像記録部１７は、記録媒体制御部と記録媒体で構成される。記録媒体は、メモリカード、ハードディスク、ＤＶＤ（Ｄｉｇｉｔａｌ  Ｖｅｒｓａｔｉｌｅ  Ｄｉｓｃ）等である。記録媒体は着脱自在であってもよいし、ビデオカメラ１００に内蔵されたものであってもよい。
【００２２】
タッチパネル部１３は、表示と入力の２つの機能を備えており、撮像部１０で撮像された画像データや、画像記録部１７から読み出したＡＶデータ中の画像データを表示するとともに、ユーザが画面に表示された画像データ上の点または領域に手で触れることで、触れられた画面位置の情報を感知し、その情報を出力する。また、タッチパネル部１３は、ビデオカメラ１００の各種の設定情報や、撮影時間などを表示可能である。
【００２３】
操作部１６は、各種操作手段を総称した構成要素である。操作部１６は、ユーザの指示を受け付け、その指示をコントローラ１４に伝える。
（１−２．本発明の構成との対応関係）
撮像部１０は、本発明の撮像部の一例である。信号処理部１１は、本発明の画像処理部の一例である。タッチパネル部１３は、本発明の表示部の一例であり、本発明の特定被写体選択部の一例である。判定部１５は、本発明の判定部の一例である。コントローラ１４は、本発明の表示制御部の一例である。
（２．動作）
このように構成された被写体認識機能を備えたビデオカメラ１００について、その動作を図２に示すフローチャートを用いて説明する。
【００２４】
撮像部１０から入力される信号を信号処理部１１で処理し、表示部１３で表示された画像に対して追尾したいターゲットを、タッチパネル部１３上でそのターゲットをタッチすることにより選択する（ＳＴ２０）。
【００２５】
特定対象検出部１２は、選択されたターゲットの信頼度を求める（ＳＴ２１）。
【００２６】
得られた信頼度があらかじめ設定しておいた閾値以下（ＳＴ２２のＮＯ）の時は、ターゲットを再確認できるように、選択された周辺を拡大した画面を表示する（ＳＴ２３）。この際、拡大された画面上において、拡大前に選択されたターゲットは、例えば枠表示を行うことにより明示的に表示される。ユーザは、拡大された画面上でターゲットを確認し、意図したターゲットと異なる場合には、拡大画面上でターゲットをタッチすることにより、選択し直す（ＳＴ２４）。この際、拡大前に選択されたターゲットが、意図したターゲットである場合には、ユーザは枠表示されたターゲットを改めてタッチしてもよいし、ユーザが拡大画面が表示された状態で所定時間、拡大画面をタッチしない場合には、選択済みのターゲットが意図したターゲットと判断することもできる。コントローラ１４は、ターゲット選択後、画面を元に戻し（ＳＴ２５）、選択した被写体を追尾する（ＳＴ２６）。
【００２７】
このように、特定被写体の選択時に、拡大画面上で特定被写体の選択を可能とすることにより、特定被写体を確実に選択することができる。
【００２８】
また、コントローラ１４は、拡大画面表示時に、拡大画面上に信号処理部１１の出力画像の静止画を表示するようにしてもよい。これにより、動きのある特定被写体に対して、その動きにより、タッチパネル１３上で、その特定被写体をうまく選択できない状況を回避することができる。
【００２９】
また信頼度があらかじめ設定しておいた閾値よりも大きい場合（ＳＴ２２のＹＥＳ）は、そのまま画面拡大することなしに選択した被写体を追尾する（ＳＴ２６）。
【００３０】
このようにして特定被写体の選択時、信頼度が低く特定被写体の選択が意図どおりに出来ていない可能性のあるときに画面を拡大して特定被写体の再選択を可能とすることで、より確実に被写体を追尾することが可能となる。
【００３１】
なお、本実施の形態１では、信頼度に応じて、拡大画面を表示するとしたが、信頼度によらず常にターゲット周辺を拡大するとしてもよい。また、拡大画面表示時に、信号処理部１１の出力画像の静止画を表示するようにしてもよい。
【００３２】
なお、本実施の形態１では、ユーザは、タッチパネル部１３上でターゲットをタッチすることにより選択するとしたが、本発明はこれに限定されず、操作部１６を用いてターゲットを選択するようにしてもよい。例えば、ユーザが操作部１６を操作することで表示部上に表示したカーソルが移動し、そのカーソルが特定被写体の上に重なって表示された際に、ユーザによる決定操作が行われることにより、ターゲットを選択可能としてもよい。
【産業上の利用可能性】
【００３３】
本発明の撮像装置は、特定被写体の認識精度を向上させるため特定被写体の選択時に拡大処理を行うことにより、特定被写体を正確に選択することができ、デジタルカメラ、ビデオカメラ等で有用である。
【符号の説明】
【００３４】
１０    撮像部
１１    信号処理部
１２    特定対象検出部
１３    タッチパネル部
１４    コントローラ
１５    判定部
１６    操作部
１７    画像記録部
１００    ビデオカメラ
【図１】
2010245999.tif 000003
【図２】
2010245999.tif 000004
【図３】
2010245999.tif 000005